(57)【要約】【課題】  容易に袋を開封でき、ストロー包装袋がごみとならないストロー包装体を提供する。【解決手段】  先端側と吸い口側からなるストロー１と、ストローを密閉収容したストロー包装袋２とからなるストロー包装体３であって、ストロー包装袋の長手方向の両端部近傍に、長手方向に対して横向きの横断方向に、巾の一部を残してミシン目が入れられた易破断部４が設けられ、それぞれの易破断部４とストロー包装袋２の長手方向の両端との間に接着部５が設けられたことを特徴とするストロー包装体【選択図】図１
2012071890.tif 000002
【特許請求の範囲】
【請求項１】
先端側と吸い口側からなるストローと、ストローを密閉収容したストロー包装袋とからなるストロー包装体であって、ストロー包装袋の長手方向の両端部近傍に、長手方向に対して横向きの横断方向に、巾の一部を残してミシン目が入れられた易破断部が設けられ、それぞれの易破断部とストロー包装袋の長手方向の両端部との間のストロー包装袋表面上に接着部が設けられたことを特徴とするストロー包装体。
【請求項２】
液体食品容器に接着部の働きであらかじめ仮接着されている請求項１記載のストロー包装体。
【発明の詳細な説明】
【技術分野】
【０００１】  この発明は、液体食品容器から飲料を飲むためのストローに関する。特に本発明は、予め包装され、使用に際して包装が破られるようになったストロー包装体に関する。
【背景技術】
【０００２】従来、液体食品容器用のストロー包装体は、紙基材からなる包材で成形され、牛乳やジュース等の液体飲料が充填密封された液体食品容器に、飲用ストロー包装体がその容器の側面に仮接着されている。
ストロー及びストロー包装袋はポリプリピレン、ポリエチレン等の熱可塑性樹脂材が使用され、上下２枚のフイルムの外周を熱シールすることによりストローを密封収容する。ストロー包装体は容器に熱溶着又はグルーによって仮接着される。【０００３】飲用する際には、上記のストロー包装袋の長手方向の縁部からストローを手で押し、ストローの長手方向の対面の縁部のストロー尖状先端部の働きでストロー包装袋を破り、取り出したストローを容器の頂面に形成されたストロー孔に突き刺すことによって使用者が内容液を飲用することができる。【０００４】またストロー包装体に易破断部を配置することで、ストロー包装袋からのストローの取り出しを容易とする方法が開示されている（特許文献１、特許文献２参照）
【先行技術文献】
【０００５】
【特許文献１】  特開２００２−２４０８７８
【０００６】
【特許文献２】  特開２００９−１１３８１４
【発明の概要】
【発明が解決しようとする課題】
【０００７】  しかしながら、以上の従来技術においては、ストロー包装袋の長手方向の縁部からストローを手で押してストローを取り出す方法を認知しない人が一定数存在し（独自調査によると約３割）、彼らに対する容易なストロー取り出し方法を提供できていない問題がある。【０００８】  以上の先行技術においては、易破断部の働きでストロー包装体からストローを取り出すと、ストロー包装袋が新たなゴミとして発生し、液体食品容器の持ち運びの障害となる問題がある。
【課題を解決するための手段】
【０００９】  以上の課題を解決するために、第一発明は、先端側と吸い口側からなるストローと、ストローを密閉収容したストロー包装袋とからなるストロー包装体であって、ストロー包装袋の長手方向の両端部近傍に、長手方向に対して横向きの横断方向に、巾の一部を残してミシン目が入れられた易破断部が設けられ、それぞれの易破断部とストロー包装袋の長手方向の両端部との間のストロー包装袋表面上に接着部が設けられたことを特徴とするストロー包装体。【００１０】  第二発明はこの発明の好ましい態様において、液体食品容器に接着部の働きであらかじめ仮接着されているストロー包装体。
【発明の効果】
【００１１】  第一発明、第二発明によれば、先端側と吸い口側からなるストローと、ストローを密閉収容したストロー包装袋とからなるストロー包装体であって、ストロー包装袋の長手方向の両端部近傍に、長手方向に対して横向きの横断方向に、巾の一部を残してミシン目が入れられた易破断部が設けられている。
そのため両易破断部において、ストロー包装袋の両端部近傍を引っ張る等の外力を加えることによって、ストロー包装袋が横断方向に容易に開封することができ、ストローを容易に取り出すことができる。【００１２】  第一発明、第二発明によれば、ストロー包装袋の長手方向の両端部近傍に、長手方向に対して横向きの横断方向に、巾の一部を残してミシン目が入れられた易破断部が設けられている。
そのため両易破断部において、該ミシン目に沿ってストロー包装袋を破っても、端部がストロー包装袋の主体部から切り離されることがない。従って、ストロー包装袋の主体部とは別に小さなごみが発生することがなく、環境汚染に繋がる恐れがない。【００１３】  第一発明、第二発明によれば、ストロー包装袋の長手方向の両端部近傍において、易破断部とストロー包装袋の長手方向の両端部との間のストロー包装袋表面上に接着部が設けられている。
そのため両易破断部において、該ミシン目に沿ってストロー包装袋を破り、ストローの外周を長手方向に沿ってストロー包装袋を両端部から中央部方向に押し潰すと、飲料食品容器からストロー包装体を取り外した際にストロー包装袋上に残留する両接着部同士が接着することで、ストロー包装袋が圧縮された状態で固定される。従って、ストロー包装袋をストロー外周に係止した状態でストローを容器の頂面に形成されたストロー孔に突き刺すことによって使用者が内容液を飲用することができ、ストロー包装袋がごみとして発生する恐れがない。
【図面の簡単な説明】
【００１４】
【図１】この発明の一実施形態を示すもので、ストロー包装体を示す正面図である。
【図２】この発明の一実施形態を示すもので、ストロー包装袋の両易破断部において、該ミシン目に沿ってストロー包装袋が破られた状態のストロー包装体を示す正面図である。
【図３】この発明の一実施形態を示すもので、ストロー包装袋の両易破断部において、該ミシン目に沿ってストロー包装袋が破られ、ストローの外周を長手方向に沿ってストロー包装袋を両端部から中央部方向に押し潰し、飲料食品容器からストロー包装体を取り外した際にストロー包装袋上に残留する両接着部同士が接着した状態のストロー包装体を示す正面図である。
【図４】この発明の一実施形態を示すもので、ストロー包装体が液体食品容器の側面に接着部の働きで仮接着された状態を示す斜視図である。
【発明を実施するための形態】
【００１５】以下、本発明の実施の形態について図面を参照しながら詳細に説明する。
図１はこの発明の一実施形態における、先端側と吸い口側からなる伸縮式ストロー１と、ストロー１を密閉収容したストロー包装袋２とからなるストロー包装体３を示す正面図である。ストロー包装袋２の長手方向の両端部近傍に、長手方向に対して横向きの横断方向に、巾の一部を残してミシン目が入れられた易破断部４が設けられ、それぞれの易破断部４とストロー包装袋２の長手方向の両端部との間のストロー包装袋２表面上に接着部５が設けられている。易破断部４は、ストロー包装袋２の両端部からストロー中央部方向に、ストロー包装袋２の長手方向に対して横向きの横断幅と同等もしくは未満の距離を保つ場所に配置することが望ましい。
【００１６】図４はこの発明の一実施形態における、図１に示すストロー包装体３の接着部５が配置された面と、液体食品容器６の側面とが、接着部５の働きで仮接着された状態を示す斜視図である
【００１７】図２はこの発明の一実施形態における、図１に示すストロー包装袋２の両易破断部４において、該ミシン目に沿ってストロー包装袋２が破られた状態を示す正面図である。両易破断部４において、ストロー包装袋２の両端部近傍を引っ張る等の外力を加えて、該ミシン目に沿ってストロー包装袋２が横断方向に容易に開封することができ、端部がストロー包装袋２の主体部から切り離されることがなくストロー１を取り出すことができる。
【００１８】  図３はこの発明の一実施形態における、図２に示すストロー１の外周を長手方向に沿って、ストロー包装袋２が両端部から中央部方向に押し潰され、飲料食品容器６からストロー包装体３を取り外した際にストロー包装袋２上に残留する両接着部５同士が接着することで、ストロー包装袋２が圧縮された状態でストロー１外周上に係止された状態を示す正面図である。従って、ストロー包装袋２をストロー１外周に係止した状態でストロー１を液体食品容器６の頂面に形成されたストロー孔７に突き刺すことによって、ストロー包装袋２を別個のごみとすることなく使用者が内容液を飲用することができる。
【符号の説明】
【００１９】１  ストロー１
２  ストロー包装袋２
３  ストロー包装体３
４  易破断部４
５  接着部５
６  液体食品容器６
７  ストロー孔７
【図１】
2012071890.tif 000003
【図２】
2012071890.tif 000004
【図３】
2012071890.tif 000005
【図４】
2012071890.tif 000006